(57)【要約】【課題】画像の転送に伴うカメラの性能低下や不要な画像を転送することによる外部機器の容量圧迫を防止する。【解決手段】被写体の光学像を撮影して本画像データを生成する撮影手段と、前記本画像データを縮小した縮小画像データを生成する縮小画像生成手段と、前記本画像データ及び前記縮小画像データを格納する格納手段と、前記本画像データと前記縮小画像データのいずれかを外部機器へ転送する転送手段と、前記転送手段による外部機器への転送の際に、装置の動作状態に基づいて前記本画像データ及び前記縮小画像データのいずれかを選択する選択手段と、を具備する。【選択図】      図１
2006345188.tif 000002
【特許請求の範囲】
【請求項１】
被写体の光学像を撮影して本画像データを生成する撮影手段と、
前記本画像データを縮小した縮小画像データを生成する縮小画像生成手段と、
前記本画像データ及び前記縮小画像データを格納する格納手段と、
前記本画像データと前記縮小画像データのいずれかを外部機器へ転送する転送手段と、
前記転送手段による外部機器への転送の際に、装置の動作状態に基づいて前記本画像データ及び前記縮小画像データのいずれかを選択する選択手段と、を具備することを特徴とする撮像装置。
【請求項２】
前記選択手段は、前記動作状態が単写撮影モードの場合には前記本画像データを選択し、連写撮影モードの場合には前記縮小画像データを選択することを特徴とする請求項１に記載の撮像装置。
【請求項３】
前記選択手段は、前記動作状態が通常撮影モードの場合には前記本画像データを選択し、ブラケット撮影モードの場合には前記縮小画像データを選択することを特徴とする請求項１に記載の撮像装置。
【請求項４】
前記選択手段は、前記装置の動作状態に代えて、前記本画像データのサイズ、前記格納手段に格納する際の圧縮率、ＩＳＯ感度、前記転送手段の転送速度、連写コマ速度の少なくともいずれかに基づいて前記本画像データと前記縮小画像データのいずれかを選択することを特徴とする請求項１に記載の撮像装置。
【請求項５】
前記転送手段は、前記縮小画像のみを転送する場合には縮小画像のみの転送であることが識別できる情報を付加して外部機器に転送することを特徴とする請求項１乃至４のいずれか１項に記載の撮像装置。
【請求項６】
前記本画像を表示する際に、前記識別情報を本画像と共に表示する表示手段を更に備えることを特徴とする請求項５に記載の撮像装置。
【請求項７】
被写体の光学像を撮影して本画像データを生成する撮影手段と、
前記本画像データを縮小した縮小画像データを生成する縮小画像生成手段と、
前記本画像データ及び前記縮小画像データを格納する格納手段と、
前記本画像データと前記縮小画像データのいずれかを外部機器へ転送する転送手段と、を備える撮像装置の制御方法であって、
前記転送手段による外部機器への転送の際に、装置の動作状態に基づいて前記本画像データ及び前記縮小画像データのいずれかを選択する選択工程を備えることを特徴とする制御方法。
【請求項８】
前記選択工程では、前記動作状態が単写撮影モードの場合には前記本画像データを選択し、連写撮影モードの場合には前記縮小画像データを選択することを特徴とする請求項７に記載の制御方法。
【請求項９】
前記選択工程では、前記動作状態が通常撮影モードの場合には前記本画像データを選択し、ブラケット撮影モードの場合には前記縮小画像データを選択することを特徴とする請求項７に記載の制御方法。
【請求項１０】
前記選択工程では、前記装置の動作状態に代えて、前記本画像データのサイズ、前記格納手段に格納する際の圧縮率、ＩＳＯ感度、前記転送手段の転送速度、連写コマ速度の少なくともいずれかに基づいて前記本画像データと前記縮小画像データのいずれかを選択することを特徴とする請求項７に記載の制御方法。
【請求項１１】
前記転送手段は、前記縮小画像のみを転送する場合には縮小画像のみの転送であることが識別できる情報を付加して外部機器に転送することを特徴とする請求項７乃至１０のいずれか１項に記載の制御方法。
【請求項１２】
前記本画像を表示する際に、前記識別情報を本画像と共に表示する工程を更に備えることを特徴とする請求項１１に記載の制御方法。
【請求項１３】
請求項７乃至１２のいずれか１項に記載の制御方法を、撮像装置に搭載されたコンピュータに実行させるためのプログラム。
【請求項１４】
請求項１３に記載のプログラムを記憶したことを特徴とするコンピュータ読み取り可能な記録媒体。
【発明の詳細な説明】
【技術分野】
【０００１】
本発明は電子カメラ等の撮像装置及びその制御方法、特に、画像データや装着された記録媒体に格納されている画像データを外部機器に転送する撮像装置及びその制御方法に関する。
【背景技術】
【０００２】
近年、ＩＣメモリカ−ド、磁気記録媒体、光磁気記録媒体、フラッシュメモリ等を記録媒体とするデジタルスチルカメラ等の撮像装置についての多機能化に関する提案が数多くなされている。その１つとして、外部機器に対して画像データの送受信が可能なデジタルスチルカメラの提案がある。ＵＳＢ（Universal Serial Bus）経由でＰＣに接続することでデジタルスチルカメラ内の記録媒体に格納された画像をダウンロードすることも可能である。
【０００３】
これに関して、通信の高速化や外部機器の記憶領域の縮小化を実現するためにサムネイル画像のみを転送し、外部機器からの要求に応じて本画像を転送するデジタルカメラが提案されている（例えば、特許文献１）。
【特許文献１】特開2004-48183公報
【発明の開示】
【発明が解決しようとする課題】
【０００４】
撮影した画像をリアルタイムに外部機器へ転送するカメラの場合、転送速度や画像データサイズによって、カメラの性能が低下（例えば、連写撮影が不能になったり、コマ速度が制限されてしまう。）する場合があった。また、ブラケット撮影等のように撮影者が最終的に画像を取捨選択する場合にも通常撮影と同様に画像を転送してしまうため、不要な画像データまで外部機器に格納されていた。
【０００５】
また、常にサムネイル画像のみを転送するように構成すると、通常撮影の結果として常に本画像の転送を要求することが必要になり、ユーザが行う撮影後の操作が煩雑になってしまう。
【０００６】
本発明の目的は、画像の転送に伴うカメラの性能低下や不要な画像を転送することによる外部機器の容量圧迫を防止することである。
【課題を解決するための手段】
【０００７】
上記課題を解決し、目的を達成するために、本発明の撮像装置は、被写体の光学像を撮影して本画像データを生成する撮影手段と、前記本画像データを縮小した縮小画像データを生成する縮小画像生成手段と、前記本画像データ及び前記縮小画像データを格納する格納手段と、前記本画像データと前記縮小画像データのいずれかを外部機器へ転送する転送手段と、前記転送手段による外部機器への転送の際に、装置の動作状態に基づいて前記本画像データ及び前記縮小画像データのいずれかを選択する選択手段と、を具備する。
【０００８】
また、本発明の撮像装置の制御方法は、被写体の光学像を撮影して本画像データを生成する撮影手段と、前記本画像データを縮小した縮小画像データを生成する縮小画像生成手段と、前記本画像データ及び前記縮小画像データを格納する格納手段と、前記本画像データと前記縮小画像データのいずれかを外部機器へ転送する転送手段と、を備える撮像装置の制御方法であって、前記転送手段による外部機器への転送の際に、装置の動作状態に基づいて前記本画像データ及び前記縮小画像データのいずれかを選択する選択工程を備える。
【発明の効果】
【０００９】
本発明によれば、画像の転送によりカメラの性能が低下すると想定される場合や撮影後にユーザが目的の画像を選択する操作を行うと想定される場合に、サムネイル画像のみを転送することで、画像の転送に伴うカメラの性能低下や不要な画像を転送することによる外部機器の容量圧迫を防止することができる。
【発明を実施するための最良の形態】
【００１０】
以下に、添付図面を参照して本発明の好適な実施形態について詳細に説明する。
【００１１】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１２】
［装置の説明］
図１は、本発明に係る実施形態の撮像装置の構成を示す図である。
【００１３】
図１において、１００は電子カメラ等に代表される撮像装置である。
【００１４】
１２は撮像素子１４への露光量を制御するためのシャッター、１４は光学像を電気信号に変換する撮像素子である。
【００１５】
レンズ３１０に入射した光線は、一眼レフ方式によって、絞り３１２、レンズマウント３０６及び１０６、ミラー１３０、シャッター１２を介して導き、光学像として撮像素子１４上に結像する。
【００１６】
１６は撮像素子１４から出力されるアナログ信号をデジタル信号に変換するＡ／Ｄ変換部である。
【００１７】
１８は撮像素子１４、Ａ／Ｄ変換部１６、Ｄ／Ａ変換部２６にクロック信号や制御信号を供給するタイミング発生部であり、メモリ制御部２２及びシステム制御部５０により制御される。
【００１８】
２０は画像処理部であり、Ａ／Ｄ変換部１６からのデータ或いはメモリ制御部２２からのデータに対して所定の画素補間処理や色変換処理を行う。また、画像処理部２０においては、必要に応じて、撮像した画像データを用いて所定の演算処理を行い、得られた演算結果に基づいてシステム制御部５０が露光制御部４０、測距制御部４２に対して制御を行う、ＴＴＬ（Through The Lens）方式のＡＦ（オートフォーカス）処理、ＡＥ（自動露出）処理、ＥＦ（フラッシュ調光）処理を行う。
【００１９】
さらに、画像処理部２０においては、撮像した画像データを用いて所定の演算処理を行い、得られた演算結果に基づいてＴＴＬ方式のＡＷＢ（オートホワイトバランス）処理も行っている。
【００２０】
なお、本実施形態においては、測距部４２及び測光部４６を専用に備える構成としたため、測距部４２及び測光部４６を用いてＡＦ処理、ＡＥ処理、ＥＦ処理の各処理を行い、上記画像処理部２０を用いたＡＦ処理、ＡＥ処理、ＥＦ処理の各処理を行わない構成としても良い。
【００２１】
また、測距部４２及び測光部４６を用いてＡＦ処理、ＡＥ処理、ＥＦ処理の各処理を行い、さらに、上記画像処理部２０を用いたＡＦ処理、ＡＥ処理、ＥＦ処理の各処理を行う構成としても良い。
【００２２】
２２はメモリ制御部であり、Ａ／Ｄ変換部１６、タイミング発生部１８、画像処理部２０、画像表示メモリ２４、Ｄ／Ａ変換部２６、メモリ３０、圧縮伸長部３２を制御する。Ａ／Ｄ変換部１６のデータが画像処理部２０、メモリ制御部２２を介して、或いはＡ／Ｄ変換部１６のデータが直接メモリ制御部２２を介して、画像表示メモリ２４或いはメモリ３０に書き込まれる。
【００２３】
２４は画像表示メモリ、２６はＤ／Ａ変換部、２８はＴＦＴ ＬＣＤ等から成る画像表示部であり、画像表示メモリ２４に書き込まれた表示用の画像データはＤ／Ａ変換部２６を介して画像表示部２８により表示される。
【００２４】
３０は撮影した静止画像を格納するためのメモリであり、所定枚数の静止画像を格納するのに十分な記憶量を備えている。これにより、複数枚の静止画像を連続して撮影する連写撮影の場合にも、高速かつ大量の画像書き込みをメモリ３０に対して行うことが可能となる。また、メモリ３０はシステム制御部５０の作業領域としても使用することが可能である。
【００２５】
３２は適応離散コサイン変換（ＡＤＣＴ）等により画像データを圧縮伸長する圧縮伸長部であり、メモリ３０に格納された画像を読み込んで圧縮処理或いは伸長処理を行い、処理を終えたデータをメモリ３０に書き込む。
【００２６】
４０は測光部４６からの測光情報に基づいて、絞り３１２を制御する絞り制御部３４０と連携しながら、シャッター１２を制御するシャッター制御部である。
【００２７】
４２はＡＦ処理を行うための測距部であり、レンズ３１０に入射した光線を、一眼レフ方式によって、絞り３１２、レンズマウント３０６及び１０６、ミラー１３０そして不図示の測距用サブミラーを介して、測距部４２に入射させることにより、光学像として結像された画像の合焦状態を測定することができる。
【００２８】
４６はＡＥ処理を行うための測光部であり、レンズ３１０に入射した光線を、一眼レフ方式によって、絞り３１２、レンズマウント３０６及び１０６、ミラー１３０及び１３２そして不図示の測光用レンズを介して、測光部４６に入射させることにより、光学像として結像された画像の露出状態を測定することができる。また、測光部４６は、フラッシュ４８と連携することによりＥＦ処理機能も有するものである。
【００２９】
４８はフラッシュであり、ＡＦ補助光の投光機能、フラッシュ調光機能も有する。
【００３０】
さらに、測距部４２による測定結果と、撮像素子１４によって撮像した画像データを画像処理部２０によって演算した演算結果とを共に用いてＡＦ制御を行っても構わない。そして、測光部４６による測定結果と、撮像素子１４によって撮像した画像データを画像処理部２０によって演算した演算結果とを共に用いて露出制御を行っても構わない。
【００３１】
５０は撮像装置１００全体を制御するシステム制御部、５２はシステム制御部５０の動作用の定数、変数、プログラム等を記憶するメモリである。５４はシステム制御部５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。また、表示部５４は、その一部の機能が光学ファインダ１０４内に設置されている。表示部５４の表示内容のうち、ＬＣＤ等に表示するものとしては、例えば、単写／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、ブザー設定表示、電池残量表示、エラー表示、複数桁の数字による情報表示、記録媒体２００及び２１０の着脱状態表示、レンズユニット３００の着脱状態表示、通信Ｉ／Ｆ動作表示、日付・時刻表示、外部コンピュータとの接続状態を示す表示、等がある。
【００３２】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。さらに、表示部５４の表示内容のうち、ＬＥＤ等に表示するものとしては、例えば、記録媒体書き込み動作表示等がある。そして、表示部５４の表示内容のうち、ランプ等に表示するものとしては、例えば、セルフタイマー通知ランプ、等がある。このセルフタイマー通知ランプは、AF補助光と共用して用いても良い。
【００３３】
５６は電気的に消去・記録可能な不揮発性メモリであり、例えばＥＥＰＲＯＭ等が用いられる。
【００３４】
６０、６２、６４、６６、６８及び７０は、システム制御部５０の各種の動作指示を入力するための操作手段であり、スイッチやダイアル等の単数或いは複数の組み合わせで構成される。
【００３５】
ここで、これらの操作手段の具体的な説明を行う。
【００３６】
６０はモードダイアルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等の各機能撮影モードを切り替え設定することができる。
【００３７】
６２はシャッタースイッチＳＷ１で、不図示のシャッターボタンの操作途中でＯＮとなり、ＡＦ処理、ＡＥ処理、ＡＷＢ処理、ＥＦ処理等の動作開始を指示する。
【００３８】
６４はシャッタースイッチＳＷ２で、不図示のシャッターボタンの操作完了でＯＮとなり、撮像素子１４から読み出した信号をＡ／Ｄ変換部１６、メモリ制御部２２を介してメモリ３０に画像データを書き込む露光処理、画像処理部２０やメモリ制御部２２での演算を用いた現像処理、メモリ３０から画像データを読み出し、圧縮伸長部３２で圧縮を行い、記録媒体２００或いは２１０に画像データを書き込む記録処理という一連の処理の動作開始を指示する。
【００３９】
６６は再生スイッチで、撮影モード状態において、撮影した画像をメモリ３０或いは記録媒体２００或いは２１０から読み出して画像表示部２８によって表示する再生動作の開始を指示する。
【００４０】
６８は単写／連写スイッチで、シャッタースイッチＳＷ２を押した場合に１駒の撮影を行って待機状態とする単写モードと、シャッタースイッチＳＷ２を押している間は連続して撮影を行い続ける連写モードとを設定することができる。
【００４１】
７０は各種ボタンやタッチパネル等からなる操作部で、メニューボタン、セットボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するためのスイッチである圧縮モードスイッチ、再生モード、マルチ画面再生・消去モード、ＰＣ接続モード等の各機能モードを設定することができる再生スイッチ、シャッタースイッチＳＷ１を押したならばオートフォーカス動作を開始し一旦合焦したならばその合焦状態を保ち続けるワンショットＡＦモードとシャッタースイッチＳＷ１を押している間は連続してオートフォーカス動作を続けるサーボＡＦモードとを設定することができるＡＦモード設定スイッチ等がある。
【００４２】
また、上記プラスボタン及びマイナスボタンの各機能は、回転ダイアルスイッチを備えることによって、より軽快に数値や機能を選択することが可能となる。
【００４３】
７２は電源スイッチで、撮像装置１００を電源オン又は電源オフのいずれかのモードに切り替えることができる。また、撮像装置１００に接続されたレンズユニット３００、外部ストロボ、記録媒体２００、２１０等の各種付属装置の電源オン、電源オフの設定も同時に切り替えることができる。
【００４４】
８０は電源制御部で、電源検出回路、ＤＣ−ＤＣコンバータ、通電するブロックを切り替えるスイッチ回路等により構成されており、電池の装着の有無、電池の種類、電池残量の検出を行い、検出結果及びシステム制御部５０の指示に基づいてＤＣ−ＤＣコンバータを制御し、必要な電圧を必要な期間、記録媒体を含む各部へ供給する。
【００４５】
８２はコネクタ、８６はアルカリ電池やリチウム電池等の一次電池やＮｉＣｄ電池やＮｉＭＨ電池、Ｌｉ電池等の二次電池、ＡＣアダプター等からなる電源部である。
【００４６】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知部である。
【００４７】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００４８】
インターフェース及びコネクタとしては、ＰＣＭＣＩＡカードやＣＦ（コンパクトフラッシュ（登録商標））カード等の規格に準拠したものを用いて構成して構わない。
【００４９】
さらに、インターフェース９０及び９４、そしてコネクタ９２及び９６をＰＣＭＣＩＡカードやＣＦ（登録商標）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００５０】
１０４は光学ファインダであり、レンズ３１０に入射した光線を、一眼レフ方式によって、絞り３１２、レンズマウント３０６及び１０６、ミラー１３０及び１３２を介して導き、光学像として結像表示することができる。これにより、画像表示部２８による電子ファインダ機能を使用すること無しに、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示等が設置されている。
【００５１】
１１０は通信部で、ＲＳ２３２ＣやＵＳＢ、ＩＥＥＥ１３９４、Ｐ１２８４、ＳＣＳＩ、モデム、ＬＡＮ、無線通信、等の各種通信機能を有する。この通信機能により他のコンピュータやプリンタ等の周辺機器との間で画像データや画像データに付属した管理情報を転送し合うことができる。画像データの転送に関しての詳細は後述する。１１２は通信部１１０により撮像装置１００を他の機器と接続するコネクタ或いは無線通信の場合はアンテナである。
【００５２】
１２０は、レンズマウント１０６内において、撮像装置１００をレンズユニット３００と接続するためのインターフェース、１２２は撮像装置１００をレンズユニット３００と電気的に接続するコネクタ、１２４はレンズマウント１０６及び或いはコネクタ１２２にレンズユニット３００が装着されているか否かを検知するレンズ着脱検知部である。
【００５３】
コネクタ１２２は、撮像装置１００とレンズユニット３００との間で制御信号、状態信号、データ信号等を伝送し合うと共に、各種電圧の電流を供給する機能も備えている。また、コネクタ１２２は電気通信のみならず、光通信、音声通信等を伝達する構成としても良い。
【００５４】
１３０、１３２はミラーで、レンズ３１０に入射した光線を、一眼レフ方式によって光学ファインダ１０４に導くことができる。なお、ミラー１３２は、クイックリターンミラーの構成としても、ハーフミラーの構成としても、どちらでも構わない。
【００５５】
２００はメモリカードやハードディスク等の記録媒体である。記録媒体２００は、半導体メモリや磁気ディスク等から構成される記録部２０２、撮像装置１００とのインタフェース２０４、撮像装置１００と接続を行うコネクタ２０６を備えている。
【００５６】
２１０はメモリカードやハードディスク等の記録媒体である。記録媒体２１０は、半導体メモリや磁気ディスク等から構成される記録部２１２、撮像装置１００とのインタフェース２１４、撮像装置１００と接続を行うコネクタ２１６を備えている。
【００５７】
３００は交換レンズタイプのレンズユニットである。
【００５８】
３０６は、レンズユニット３００を撮像装置１００と機械的に結合するレンズマウントである。レンズマウント３０６内には、レンズユニット３００を撮像装置１００と電気的に接続する各種機能が含まれている。
【００５９】
３１０は撮影レンズ、３１２は絞りである。
【００６０】
３２０は、レンズマウント３０６内において、レンズユニット３００を撮像装置１００と接続するためのインタフェース、３２２はレンズユニット３００を撮像装置１００と電気的に接続するコネクタである。
【００６１】
コネクタ３２２は、撮像装置１００とレンズユニット３００との間で制御信号、状態信号、データ信号等を伝送し合うと共に、各種電圧の電流を供給される或いは供給する機能も備えている。また、コネクタ３２２は電気通信のみならず、光通信、音声通信等を伝達する構成としても良い。
【００６２】
３４０は測光部４６からの測光情報に基づいて、シャッター１２を制御するシャッター制御部４０と連携しながら、絞り３１２を制御する絞り制御部である。
【００６３】
３４２は撮影レンズ３１０のフォーカシングを制御する測距制御部、３４４は撮影レンズ３１０のズーミングを制御するズーム制御部である。
【００６４】
３５０はレンズユニット３００全体を制御するレンズ制御部である。レンズ制御部３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値等を保持する不揮発メモリの機能も備えている。
【００６５】
操作部７０もしくはインターフェース９０によりＵＳＢやＩＥＥＥ１３９４等により接続されたコンピュータにより設定されたユーザや接続先、またはテーマ情報を特定するＩＤをメモリ３０に格納する。なお、コンピュータとの接続方法はＰＣＭＣＩＡカード経由の接続以外にもカメラ内部にＩ／Ｆ回路を備え直接ＵＳＢ等で接続する形態や、もしくは有線ではなく無線でも良い。
【００６６】
メモリ３０に格納された画像データは、圧縮伸張部３２によりデータ圧縮処理を受けた後に再びメモリ３０に格納される。データ圧縮を受けた画像データには、上述したＩＤおよび日時データ、さらには、シャッター速度や絞り値等の撮影時の撮影条件を記録した撮影情報データが添付される。記録媒体２００には画像データと撮影情報データとが記録される。
【００６７】
図２は記録媒体２００に記録された画像データのデータファイル構造を示す図である。
【００６８】
撮像装置で撮影された画像データの名称は、図２に示すルートディレクトリ４００の下に「ＤＣＩＭ」というディレクトリ４１０を付与することにより区別することがＤＣＦ(Designrule for Camera File system)により定められている。
【００６９】
「ＤＣＩＭ」というディレクトリ４１０には、複数のサブディレクトリ４３０が設けられている。さらに、各サブディレクトリ４３０には、画像データファイル４４１と、撮影情報データファイル４４２とが設けられている。撮影情報データファイル４４２は、各サブディレクトリ４３０毎に１つずつ設けられている。
【００７０】
［第１の実施形態］
次に、本実施形態の撮像装置の特徴的な動作について説明する。
【００７１】
第１の実施形態は、撮影した画像をリアルタイムに通信部１１０により外部機器へ転送する際に、単写撮影時には本画像、連写撮影時にはサムネイル画像を転送するように制御するもので、カメラの連写性能を優先し画像転送により連写性能が低下するような場合にはサムネイル転送を選択することで連写性能の低下を防止する動作例である。
【００７２】
先ず、ユーザは撮影画像の格納先を、記録媒体２１０、または通信部１１０により転送されるコンピュータ等の外部機器、もしくはその双方からカメラの操作部７０により選択設定することができる。
【００７３】
ここで、撮影画像の格納先に外部機器が選択された場合の動作について図３を用いて説明する。
【００７４】
ステップＳ４０１、Ｓ４０２で撮影された本画像データは、圧縮伸長部３２で圧縮後にメモリ３０に一時格納される。その後、ステップＳ４０３により撮影モードが単写モードであると判断された場合はステップＳ４０４により直ちに本画像データが通信部１１０により転送される。
【００７５】
また、撮影モードが連写モードであると判断された場合はステップＳ４０５によりサムネイル画像が転送される。サムネイル画像のみを転送する場合には、サムネイル画像のみの転送であることが識別できる情報を付加する。そして、連写撮影が終了した時点で、未転送の本画像データを転送するかどうかをユーザに確認する。ここで本画像転送を指示された場合はこの時点で送信する。なお、ユーザへの確認をカメラ側では行わずに、外部機器もしくはカメラで画像を表示した場合にサムネイル画像に付加した情報を基に本画像の未転送マークを画像に重ね合わせて表示しても良い。この場合はユーザは本画像の未転送マークの付いている画像の中から必要な本画像を選択して取得・転送することができる。
【００７６】
この例では、ステップＳ４０３でカメラの連写・単写モードを判定したが、単純な単写・連写判定ではなく、本画像のデータサイズ、通信部１１０での通信レート、連写コマ速度等から、連写速度を低下させずに本画像データが転送可能であると判断された場合に本画像を転送するようにしても良い。この場合は、例えば実際に生成された本画像のデータサイズ、あるいは設定された圧縮率や画像サイズにより、あるいは設定されたＩＳＯ感度により、あるいは接続されたＵＳＢの規格がＵＳＢ１．０とＵＳＢ２．０のどちらなのか、もしくは通信部１１０での通信レートと実際の本画像のデータサイズとから転送に必要な時間を予想する等の判断方法がある。
【００７７】
また、本実施形態によればカメラの連写性能の低下を防止するだけでなく、外部機器がＰＣ等である場合に、撮影動作に対してリアルタイムに撮影画像をディスプレイに表示することも可能になる。
【００７８】
また、通信部１１０に関しては前述の通りＵＳＢや無線等通信形態に関して特に制限を設けるものではない。
【００７９】
「第２の実施形態］
第２の実施形態は、撮影画像をリアルタイムに通信部１１０により外部機器へ転送する際に、通常撮影時には本画像データ、ブラケット撮影時にはサムネイル画像を転送するもので、ユーザによる複数枚の画像の中から所望の一枚を選択するような操作が想定される場合にはサムネイル転送を選択することで、外部機器の容量を無駄に圧迫することを防止する動作例である。
【００８０】
図４は、第２の実施形態によるブラケット撮影時の転送動作を示すフローチャートである。
【００８１】
先ず、ステップＳ５０１、Ｓ５０２で撮影された画像データは、圧縮伸長部３２で圧縮後にメモリ３０に一時格納される。その後、ステップＳ５０３により撮影モードが通常撮影モードであると判断された場合はステップＳ５０４により直ちに本画像が通信部１１０により転送される。撮影モードが露出を指定段数ごとにずらして複数枚撮影するＡＥブラケットやホワイトバランスをずらして複数枚撮影するＷＢブラケットモード、ストロボ発光量をずらして複数枚撮影するＦＥブラケットであると判断された場合はステップＳ５０５によりサムネイル画像が転送される。サムネイル画像のみ転送する場合には、サムネイル画像のみの転送であることが識別できる情報を付加する。ブラケット撮影が終了した時点で、未転送の本画像を転送するかどうかをユーザに確認する。本画像転送を指示された場合はこの時点で送信する。ここで、ユーザへの確認はカメラ側では行わずに、外部機器もしくはカメラで画像を表示した場合にサムネイルに付加した情報を基に本画像の未転送マークを画像に重ね合わせて表示しても良い。この場合はユーザは本画像の未転送マークの付いている画像の中から必要な本画像を選択して取得・転送することができる。
【００８２】
［他の実施形態］
本実施形態は、前述した実施形態の機能を実現するソフトウェアのプログラムコードを記録したコンピュータ読み取り可能な記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによって、達成することができる。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）等が実際の処理の一部または全部を行い、その処理によって前述した実施形態の機能が実現される場合も含まれることは言うまでもない。
【００８３】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵ等が実際の処理の一部または全部を行い、その処理によって前述した実施形態の機能が実現される場合も含まれることは言うまでもない。
【００８４】
本実施形態を上記記録媒体に適用する場合、その記録媒体には、先に説明したフローチャートに対応するプログラムコードが格納されることになる。
【００８５】
尚、本実施形態は、複数の機器（例えば、ホストコンピュータ、インターフェース機器、リーダー、プリンタ等）から構成されるシステムに適用しても、一つの機器からなる装置（例えば、複写機、ファクシミリ装置等）に適用してもよい。
【図面の簡単な説明】
【００８６】
【図１】本発明に係る実施形態の撮像装置のブロック図である。
【図２】本実施形態における記録媒体内のデータファイル構造を示す図である。
【図３】第１の実施形態による連写時の転送動作を示すフローチャートである。
【図４】第２の実施形態によるブラケット撮影時の転送動作を示すフローチャートである。
【符号の説明】
【００８７】
１２  シャッター
１４  撮像素子
１６  Ａ／Ｄ変換部
１８  タイミング発生部
２０  画像処理部
２２  メモリ制御部
２４  画像表示メモリ
２６  Ｄ／Ａ変換部
２８  画像表示部
３０  メモリ
３２  圧縮伸長部
４０  シャッター制御部
４２  測距部
４６  測光部
４８  フラッシュ
５０  システム制御部
５２  メモリ
５４  表示部
５６  不揮発性メモリ
６０  モードダイアルスイッチ
６２  シャッタースイッチＳＷ１
６４  シャッタースイッチＳＷ２
６６  再生スイッチ
６８  単写／連写スイッチ
７０  操作部
７２  電源スイッチ
８０  電源制御部
８２  コネクタ
８６  電源部
９０  インタフェース
９２  コネクタ
９４  インタフェース
９６  コネクタ
９８  記録媒体着脱検知部
１００  撮像装置
１０４  光学ファインダ
１０６  レンズマウント
１１０  通信部
１１２  コネクタ（またはアンテナ）
１２０  インタフェース
１２２  コネクタ
１３０  ミラー
１３２  ミラー
２００  記録媒体
２０２  記録部
２０４  インタフェース
２０６  コネクタ
２１０  記録媒体
２１２  記録部
２１４  インタフェース
２１６  コネクタ
３００  レンズユニット
３０６  レンズマウント 
３１０  撮影レンズ
３１２  絞り
３２０  インタフェース
３２２  コネクタ
３４０  絞り制御部
３４２  測距制御部
３４４  ズーム制御部
３５０  レンズ制御部
【図１】
2006345188.tif 000003
【図２】
2006345188.tif 000004
【図３】
2006345188.tif 000005
【図４】
2006345188.tif 000006